(57)【要約】【課題】原稿の両面を読み取り、読み取った両面の画像データに基づいて記録紙の両面に記録を行う機能を備えると、複合機が大型化するという課題がある。【解決手段】原稿を読み取るセンサーユニット５１を有する画像読取部５０と、画像読取部５０によって読み取られた画像データに基づいて、用紙Ｐ１に画像を記録する記録部５と、載置部１２、用紙カセット１１と、原稿または用紙を反転させる反転ユニット３０の反転経路を含み、原稿または用紙が載置部１２、用紙カセット１１から搬送方向に案内されて搬送される搬送経路と、を備え、センサーユニット５１によって原稿が読み取られる読取位置は、搬送経路に配置される複合機を提供する。【選択図】図２
2015211415.tif 000002
【特許請求の範囲】
【請求項１】
搬送される被読取媒体の画像を読み取るセンサーユニットを有する画像読取部と、
前記画像読取部によって読み取られた画像データに基づいて、被記録媒体に画像を記録する記録部と、
前記被読取媒体または前記被記録媒体を載置する媒体載置部と、
前記被読取媒体または前記被記録媒体を反転搬送させる反転経路を含み、前記被読取媒体または前記被記録媒体が前記媒体載置部から排出側に案内されて搬送される搬送経路と、を備え、
前記センサーユニットによって前記被読取媒体が読み取られる読取位置は、前記搬送経路に配置されることを特徴とする複合機。
【請求項２】
請求項１に記載の複合機であって、
前記センサーユニットは、前記搬送経路において前記記録部より搬送方向における上流側に配置されることを特徴とする複合機。
【請求項３】
請求項１に記載の複合機であって、
前記センサーユニットは、前記搬送経路において前記記録部より搬送方向における下流側に配置されることを特徴とする複合機。
【請求項４】
請求項１に記載の複合機であって、
前記センサーユニットを可動させるユニット可動機構部を備え、
前記ユニット可動機構部は、前記被読取媒体が前記搬送経路を搬送されるときは、前記センサーユニットを前記読取位置に配置し、前記被記録媒体が前記搬送経路を搬送されるときは、前記センサーユニットを前記読取位置から退避させることを特徴とする複合機。
【請求項５】
請求項１から請求項４のいずれか一項に記載の複合機であって、
前記搬送経路に設けられ、前記被読取媒体または前記被記録媒体を搬送する第１の搬送ローラーと、
前記搬送経路に設けられ、前記第１の搬送ローラーの搬送方向における下流側に設けられる第２の搬送ローラーと、を備え、
前記読取位置は、前記第１の搬送ローラーまたは前記第２の搬送ローラーの近傍に配置されることを特徴とする複合機。
【請求項６】
請求項１から請求項５のいずれか一項に記載の複合機であって、
前記搬送方向と交わる方向に対向する一対の前記センサーユニットが備えられ、前記画像読取部は、前記一対のセンサーユニットによって前記被読取媒体の両面を読み取ることを特徴とする複合機。
【請求項７】
請求項１から請求項５のいずれか一項に記載の複合機であって、
前記媒体載置部は、前記被読取媒体と前記被記録媒体のうちの一方を載置する第１の媒体載置部と、前記被読取媒体と前記被記録媒体のうちの他方を載置する第２の媒体載置部、とを含み、
前記画像読取部は、前記反転経路を用いて、前記第１の媒体載置部または前記第２の媒体載置部から搬送された前記被読取媒体の両面の前記画像を読み取り、前記記録部は、前記反転経路を用いて、前記第１の媒体載置部または前記第２の媒体載置部から搬送された前記被記録媒体の両面に記録することを特徴とする複合機。
【請求項８】
請求項２に記載の複合機であって、
前記画像読取部は、前記記録部の近傍で前記被記録媒体の先端部の辺部を辺部画像データとして読み取り、前記辺部画像データに基づいて、前記被記録媒体の傾斜角度を検出し、前記傾斜角度に基づいて前記画像データを補正することを特徴とする複合機。
【請求項９】
請求項４に記載の複合機であって、
前記ユニット可動機構部は、前記センサーユニットを支持して回動可能なレバーと、
前記レバーの回動位置を設定するカムと、
を含んで構成されることを特徴とする複合機。
【請求項１０】
請求項７に記載の複合機であって、
前記第１の媒体載置部に載置された、前記被読取媒体または前記被記録媒体の搬送方向の長さは、前記第２の媒体載置部に載置された、前記被読取媒体または前記被記録媒体の搬送方向の長さより長いことを特徴とする複合機。
【発明の詳細な説明】
【技術分野】
【０００１】
本発明は、複合機に関する。
【背景技術】
【０００２】
読み取りセンサーを備えて原稿を読み取る読取機能と、記録ヘッドを備えて用紙などに画像を記録する記録機能とを備えた複合機がある。例えば、特許文献１では、記録機能を備えた本体装置の上部に、読み取りセンサーを備えたシート給送手段を着脱可能に備え、読み取りセンサーによって読み取られた原稿の搬送経路と、記録ヘッドに搬送される用紙の搬送経路とを搬送路切換部材によって選択できるようにした複合機が開示されている。この複合機のシート給送手段にはコネクターが設けられ、本体装置側に備えられた電源ケーブルや、信号ケーブルがコネクターの接続端子と接続される。シート給送手段を本体装置に着脱する際、電源ケーブルや信号ケーブルが断線したり、コネクターの接続端子が摩耗し電気的に不具合が生じることがある。また、特許文献１の複合機を用いて、原稿の両面を読み取る際には、使用者は、原稿の一方の面を読み取った後、反転させた原稿を再度セットし、原稿の他方の面を読み取らせる操作を行うので、手間が掛かり、作業が容易ではない。
そこで、これらを解決するために、例えば、特許文献２の複合機のように、記録機能を備えた本体装置の上部に、複数の原稿を連続的に読み込む自動原稿搬送機構を備えたものがある。このような複合機には、原稿の両面を読み取り、読み取った両面の画像データに基づいて用紙の両面に記録を行うものがある。
【先行技術文献】
【特許文献】
【０００３】
【特許文献１】特開平４−１８１８５６号公報
【特許文献２】特開２００８−１９７１４５号公報
【発明の概要】
【発明が解決しようとする課題】
【０００４】
しかしながら、自動原稿搬送機構を備え、原稿の両面を読み取り、読み取った両面の画像データに基づいて用紙の両面に記録を行う機能を備えると、複合機が大型化するという課題がある。
また、記録機能を備えた本体装置に、読み取り機能を備えた給送手段を着脱可能に備えると、給送手段を本体装置に着脱する際に、電源ケーブルや信号ケーブルが断線する虞や、コネクターや回路基板の接続部が摩耗して電気的な不具合が生じるという課題がある。
【課題を解決するための手段】
【０００５】
本発明は、上述の課題の少なくとも一部を解決するためになされたものであり、以下の形態または適用例として実現することが可能である。
【０００６】
［適用例１］搬送される被読取媒体の画像を読み取るセンサーユニットを有する画像読取部と、前記画像読取部によって読み取られた画像データに基づいて、被記録媒体に画像を記録する記録部と、前記被読取媒体または前記被記録媒体を載置する媒体載置部と、前記被読取媒体または前記被記録媒体を反転搬送させる反転経路を含み、前記被読取媒体または前記被記録媒体が前記媒体載置部から排出側に案内されて搬送される搬送経路と、を備え、前記センサーユニットによって前記被読取媒体が読み取られる読取位置は、前記搬送経路に配置されることを特徴とする複合機。
【０００７】
本適用例によれば、被読取媒体または被記録媒体を反転搬送させる反転経路を含む搬送経路を備え、センサーユニットによって被読取媒体が読み取られる読取位置は、前記搬送経路に配置される。これにより、読み取り機能を有する給送装置を本体装置とは別体に備える必要がないので、複合機が大型化することなく、被読取媒体の両面を読み取り、読み取った画像データに基づいて被記録媒体の両面に記録を行うことが可能となる。また、センサーユニットは、搬送経路に配置され、本体装置に対して着脱する必要がない。そのため、電源ケーブルや信号ケーブルが断線することや、コネクターや回路基板の接続部が摩耗して電気的な不具合が生じることがない。
【０００８】
［適用例２］前記センサーユニットは、前記搬送経路において前記記録部より搬送方向における上流側に配置されることを特徴とする上記複合機。
【０００９】
本適用例によれば、被記録媒体が搬送される搬送経路と、被読取媒体が搬送される搬送経路とが共有されるので、複合機が大型化することを抑制できる。
【００１０】
［適用例３］前記センサーユニットは、前記搬送経路において前記記録部より搬送方向における下流側に配置されることを特徴とする上記複合機。
【００１１】
本適用例によれば、被記録媒体が搬送される搬送経路と、被読取媒体が搬送される搬送経路とが共有されるので、複合機が大型化することを抑制できる。
【００１２】
［適用例４］前記センサーユニットを可動させるユニット可動機構部を備え、前記ユニット可動機構部は、前記被読取媒体が前記搬送経路を搬送されるときは、前記センサーユニットを前記読取位置に配置し、前記被記録媒体が前記搬送経路を搬送されるときは、前記センサーユニットを前記読取位置から退避させることを特徴とする上記複合機。
【００１３】
本適用例によれば、被記録媒体が搬送経路を搬送されるときは、センサーユニットを読取位置から退避させる。これにより、被記録媒体が搬送経路を搬送されるとき、被記録媒体がセンサーユニットに接触することがないので、被記録媒体の搬送速度が低下したり、被記録媒体が搬送経路で停止したり、姿勢が搬送方向に対して傾斜することを抑制できる。
【００１４】
［適用例５］前記搬送経路に設けられ、前記被読取媒体または前記被記録媒体を搬送する第１の搬送ローラーと、前記搬送経路に設けられ、前記第１の搬送ローラーの搬送方向における下流側に設けられる第２の搬送ローラーと、を備え、前記読取位置は、前記第１の搬送ローラーまたは前記第２の搬送ローラーの近傍に配置されることを特徴とする上記複合機。
【００１５】
第１の搬送ローラーと、第１の搬送ローラーの下流側の第２の搬送ローラーとによって、被読取媒体が搬送されるとき、被読取媒体の搬送方向における後端側が第１の搬送ローラーに当接された状態で搬送され、被読取媒体の搬送方向における先端が第２の搬送ローラーに上流側から近づいて当接したとき、被読取媒体の搬送速度が変動することがある。同様に、被読取媒体の先端側が第２の搬送ローラーに当接された状態で搬送され、第１の搬送ローラーに当接していた被読取媒体の後端が第１の搬送ローラーから離れた時点で、被読取媒体の搬送速度が変動することがある。本適用例によれば、センサーユニットによる読取位置が、第１の搬送ローラーまたは第２の搬送ローラーの近傍に配置される。そのため、被読取媒体の速度変動によって画像データが品質低下する部分は、被読取媒体の先端部または後端部を読み取った画像データにおいて生じる。これに対して、センサーユニットの読取位置で被読取媒体の中央部が読み取られるときは、被読取媒体の搬送速度の変動は小さい。これにより、被読取媒体の中央部においては、センサーユニットによって読み取られる画像データの品質が低下することを抑制できる。
【００１６】
［適用例６］前記搬送方向と交わる方向に対向する一対の前記センサーユニットが備えられ、前記画像読取部は、前記一対のセンサーユニットによって前記被読取媒体の両面を読み取ることを特徴とする上記複合機。
【００１７】
本適用例によれば、被読取媒体が読取位置を通るときに、一対のセンサーユニットによって、被読取媒体の両面が同時に読み取られるので、被読取媒体の両面を読み取る時間を短くできる。
【００１８】
［適用例７］前記媒体載置部は、前記被読取媒体と前記被記録媒体のうちの一方を載置する第１の媒体載置部と、前記被読取媒体と前記被記録媒体のうちの他方を載置する第２の媒体載置部、とを含み、前記画像読取部は、前記反転経路を用いて、前記第１の媒体載置部または前記第２の媒体載置部から搬送された前記被読取媒体の両面の前記画像を読み取り、前記記録部は、前記反転経路を用いて、前記第１の媒体載置部または前記第２の媒体載置部から搬送された前記被記録媒体の両面に記録することを特徴とする上記複合機。
【００１９】
本適用例によれば、被読取媒体の両面の画像を読み取り、被記録媒体の両面に画像を記録することができる。そのため、使用者による被読取媒体や被記録媒体を反転させる作業を必要としない。
【００２０】
［適用例８］前記画像読取部は、前記記録部の近傍で前記被記録媒体の先端部の辺部を辺部画像データとして読み取り、前記辺部画像データに基づいて、前記被記録媒体の傾斜角度を検出し、前記傾斜角度に基づいて前記画像データを補正することを特徴とする上記複合機。
【００２１】
本適用例によれば、記録される画像の被記録媒体に対する傾斜角度を小さくできる。
【００２２】
［適用例９］前記ユニット可動機構部は、前記センサーユニットを支持して回動可能なレバーと、前記レバーの回動位置を設定するカムと、を含んで構成されることを特徴とする上記複合機。
【００２３】
本適用例によれば、センサーユニットを読取位置から退避させることができる。これにより、搬送される被記録媒体がセンサーユニットに当接しない。
【００２４】
［適用例１０］前記第１の媒体載置部に載置された、前記被読取媒体または前記被記録媒体の搬送方向の長さは、前記第２の媒体載置部に載置された、前記被読取媒体または前記被記録媒体の搬送方向の長さより長いことを特徴とする上記複合機。
【００２５】
本適用例によれば、被読取媒体のサイズ、被記録媒体のサイズの種類を増やすことができる。
【図面の簡単な説明】
【００２６】
【図１】複合機の外観斜視図。
【図２】複合機の概略構成を説明するための側断面図。
【図３】実施形態２における複合機の概略構成を説明するための側断面図。
【図４】実施形態３における複合機の概略構成を説明するための側断面図。
【図５】実施形態４における搬送経路が交差する部分を記録部の副走査方向における下流側に設けた複合機の概略構成を示す図。
【図６】実施形態５における処理の流れを説明するためのフローチャート。
【図７】（ａ）は、用紙の先端部を示す図、（ｂ）は、用紙に記録された画像を示す図、（ｃ）は、比較のため画像データの補正処理を行わずに用紙に記録された画像を示す図。
【発明を実施するための形態】
【００２７】
以下、実施形態について、図面に従って説明する。
（実施形態１）
図１は、実施形態１における複合機１の外観斜視図である。複合機１は、略直方体形状を呈する筐体６内に、インクを噴射して画像を記録する記録部５を備える。記録部５は、インクを噴射する記録ヘッド３を備え、キャリッジモーター（不図示）の駆動に伴って、ガイド部材４に沿って主走査方向Ｘに往復移動するキャリッジ２を含んで構成される。
【００２８】
筐体６の正面側（副走査方向Ｙにおける下流側）には、操作パネル７が配置され、操作パネル７には、電源のオン・オフ操作や印刷条件などの設定を行うための操作ボタン８、メニュー画面等を表示するための液晶ディスプレイ９を備えている。操作パネル７は、その鉛直方向Ｚにおける上方側に設けられたヒンジなどの回転機構によって下方側が前方に持ち上げられて開く構成とされ、筐体６に開閉可能に取り付けられている。以降、上方、下方、上側、下側、上部、下部は、鉛直方向Ｚにおける方向や部位をいう。
【００２９】
記録部５の下方には、用紙Ｐ１を積層状態で載置する用紙カセット１１が備えられる。操作パネル７の下方には、正面蓋部１０が下部を支点として正面側に回動可能に備えられ、用紙カセット１１は、正面蓋部１０が正面側に回動して開いた状態で、筐体６に対して挿抜可能に備えられる。用紙カセット１１に載置された用紙Ｐ１は、１枚ずつ記録部５に送られて記録され、副走査方向Ｙにおける下流側に排出される。以降、上流側、下流側は副走査方向Ｙにおける方向をいう。
【００３０】
筐体６の背面側（上流側）には、用紙Ｐ２が載置される載置部１２が設けられる。載置部１２の上部には、背面蓋部１３が備えられ、図１に示すように、背面蓋部１３が背面側に開いた状態で、用紙Ｐ２を下方から支持する支持部として機能する。
【００３１】
載置部１２に載置された用紙Ｐ２は、背面側の上部に設けられた開口部１４から筐体６の内部に給紙され、記録部５によって記録され、下流側に排出される。
【００３２】
キャリッジ２の背面側には、図示しない、イメージセンサー、発光ダイオードなどの発光部を備えたセンサーユニット５１が備えられる。載置部１２に原稿Ｇ２を載置すれば、載置された原稿Ｇ２が開口部１４から筐体６の内部に給紙され、センサーユニット５１により、原稿Ｇ２に描かれた画像が読み取られる。また、用紙カセット１１に積層状態で原稿Ｇ１を載置すれば、最上部の原稿Ｇ１が給送され、原稿Ｇ１に描かれた画像がセンサーユニット５１によって読み取られる。
【００３３】
図２は、複合機１の概略構成を説明するための主走査方向Ｘから見た側断面図である。給送ローラー２２は、支点２０を回動支点として揺動する揺動部２１に備えられる。給送ローラー２２は、給送モーター（不図示）によって駆動回転される。用紙カセット１１の背面側には、用紙Ｐ１または原稿Ｇ１を分離するための分離斜面２３が備えられる。
【００３４】
分離斜面２３の上方には、反転ユニット３０が備えられる。反転ユニット３０は、中間搬送駆動ローラー３１と、中間搬送駆動ローラー３１に対して従動する従動ローラー３２，３３，３４、中間搬送駆動ローラー３１の周囲に配置された案内面２４，２５，２６、搬送路３５ａが形成された傾斜壁部３５を含んで構成される。
【００３５】
中間搬送駆動ローラー３１は、歯車（不図示）などを含んで構成される伝達機構（不図示）を介して給送モーターの駆動力によって駆動回転される。
【００３６】
載置部１２の上部には、実線および二点鎖線で示した背面蓋部１３が、下部を支点として回動可能に備えられる。背面蓋部１３は、二点鎖線で示した閉じた状態では、筐体６の背面側上部に設けられた開口部１４を覆う蓋部として機能し、実線で示した開いた状態では、載置部１２の載置面１２ａを延長した載置面１３ａを有し用紙Ｐ２または原稿Ｇ２を下方から支持する。
【００３７】
中間搬送駆動ローラー３１の下流側で、傾斜壁部３５の下方には、副走査方向Ｙに延在する水平壁部３６が備えられ、水平壁部３６の上部には、副走査方向Ｙに延びる搬送路３６ａが形成される。
【００３８】
記録部５の上流側には、搬送路３６ａに沿って搬送する搬送経路と、搬送路３５ａに沿って搬送する搬送経路とが交差する部分Ｓが構成される。
【００３９】
水平壁部３６の下流側には、センサーユニット５１が主走査方向Ｘに延在する。センサーユニット５１の上部には、平面部５２ａを有するガラスなどの板状の透明部材５２が設けられる。センサーユニット５１の主走査方向Ｘの長さは、原稿Ｇ１，Ｇ２の幅方向（主走査方向Ｘ）の長さより長く、原稿Ｇ１，Ｇ２の全面に描かれた画像を読み取ることができる。
【００４０】
透明部材５２の平面部５２ａは、搬送路３６ａと略延長線上の位置にあり、透明部材５２は水平壁部３６と当接する。これにより、用紙Ｐ１，Ｐ２、原稿Ｇ１，Ｇ２の先端部が、透明部材５２、水平壁部３６の角部に衝突することなく搬送される。
【００４１】
センサーユニット５１の上方には、矢印Ｄ２に示す鉛直方向Ｚに移動可能な押圧部材５３が備えられる。付勢部材５４は、押圧部材５３の移動と追従して上下方向に移動可能に備えられる。押圧部材５３が下側の位置にあるとき（二点鎖線で示した位置）、押圧部材５３が透明部材５２に当接し、押圧部材５３は付勢部材５４の付勢力によって透明部材５２を押圧する。このような構成により、透明部材５２と押圧部材５３との間を通る原稿Ｇ１，Ｇ２が、透明部材５２の平面部５２ａに沿って搬送されるので、原稿Ｇ１，Ｇ２から読み取られる画像データの品質低下を抑制する。
【００４２】
押圧部材５３における副走査方向Ｙの中央部には平面部５３ｃが形成され、平面部５３ｃの上流側、下流側には先端部が上方に突出して湾曲する案内面５３ａ，５３ｂがそれぞれ形成される。これにより、センサーユニット５１の上流側または下流側から侵入する原稿Ｇ１，Ｇ２が案内面５３ａ，５３ｂによって案内されて透明部材５２の平面部５２ａと押圧部材５３の平面部５３ｃとの間を通ることができる。
【００４３】
センサーユニット５１の下流側には、下部に記録ヘッド３を有し、ガイド部材４によって主走査方向Ｘに案内されて往復移動可能なキャリッジ２が備えられる。記録ヘッド３の上流側には、搬送駆動ローラー４０、搬送駆動ローラー４０に対して従動する従動ローラー４１が備えられ、記録ヘッド３の下流側には、排出駆動ローラー４３、排出駆動ローラー４３に対して従動する従動ローラー４４が備えられる。搬送駆動ローラー４０、排出駆動ローラー４３は、搬送モーター（不図示）の駆動力によって駆動回転される。
【００４４】
記録ヘッド３の下方には、支持部４２が備えられ、排出駆動ローラー４３の下流側には、上部に搬送路４５ａが形成された排出側壁部４５が設けられる。用紙Ｐ１，Ｐ２、原稿Ｇ１，Ｇ２は、支持部４２、搬送路４５ａに沿って搬送される。
【００４５】
筐体６の内部の正面側上部には、図示しない、ＣＰＵ、ＲＡＭ、ＲＯＭなどの電子部品が搭載された回路基板からなる制御部１８が備えられる。制御部１８は、インクを吐出する記録ヘッド３の吐出制御、センサーユニット５１に備えられたイメージセンサーの読み取りタイミングの制御、給送モーター、キャリッジモーター、搬送モーターの駆動制御を行う。
【００４６】
制御部１８は、搬送される用紙Ｐ１，Ｐ２に記録ヘッド３からインクを噴射させて画像を記録する。制御部１８は、搬送される原稿Ｇ１，Ｇ２の画像をセンサーユニット５１が対向する位置で読み取る。
【００４７】
押圧部材５３および付勢部材５４は、レバー（不図示）などを含んで構成される可動機構（不図示）によって移動される。押圧部材５３の上下方向における位置は、可動機構を駆動する電磁石（不図示）を、制御部１８が制御することによって設定される。
【００４８】
次に、用紙Ｐ１，Ｐ２が記録ヘッド３と対向する位置に搬送されて記録されるまでの様子について説明する。用紙カセット１１から用紙Ｐ１が搬送されて記録されるとき、付勢部材５４および押圧部材５３はセンサーユニット５１から離れた実線に示す上側の位置に退避する。
【００４９】
用紙カセット１１に載置された用紙Ｐ１の最上部に、給送ローラー２２が当接し、給送ローラー２２の回転駆動により、用紙Ｐ１は分離斜面２３、案内面２４に沿って上方に給紙される。用紙Ｐ１は、方向Ｄ１に回転駆動する中間搬送駆動ローラー３１と従動ローラー３２とに挟持されて搬送される。
【００５０】
用紙Ｐ１は、案内面２５と中間搬送駆動ローラー３１との間を通り、中間搬送駆動ローラー３１と従動ローラー３３に挟持されて下流側に搬送される。そして、用紙Ｐ１は、実線矢印Ｆに示すように、搬送路３５ａ、搬送経路が交差する部分Ｓを通り、搬送路３６ａに沿って下流側に搬送され、押圧部材５３と透明部材５２との間を通る。
【００５１】
このとき、押圧部材５３は、センサーユニット５１から離れた上側の位置にあって（実線に示す位置）、用紙Ｐ１が押圧部材５３に当接することなく搬送される。
【００５２】
さらに用紙Ｐ１は、搬送駆動ローラー４０と従動ローラー４１に挟持されて下流側に搬送される。支持部４２に支持されながら搬送する用紙Ｐ１に往復移動する記録ヘッド３からインクが噴射されて画像が形成される。画像が形成された用紙Ｐ１は、排出駆動ローラー４３と従動ローラー４４とに挟持され、搬送路４５ａに沿って下流側に搬送され、正面蓋部１０が開いた状態で筐体６の外側に排出される。
【００５３】
載置部１２に載置され、先端部が開口部１４に挿入された用紙Ｐ２は、方向Ｄ１に回転駆動する中間搬送駆動ローラー３１と従動ローラー３３とに挟持され、実線矢印Ｆに示すように、搬送路３５ａ、搬送経路が交差する部分Ｓを通り、搬送路３６ａに沿って下流側に搬送され、押圧部材５３と透明部材５２との間を通る。
【００５４】
このとき、押圧部材５３および付勢部材５４は、センサーユニット５１から離れた実線に示す上側の位置に退避した位置にある。用紙Ｐ２は、センサーユニット５１と押圧部材５３の間を通り、搬送駆動ローラー４０と従動ローラー４１に搬送されながら、記録ヘッド３が対向する支持部４２の位置でインクが噴射されて画像が形成される。画像が形成された用紙Ｐ２は、排出駆動ローラー４３と従動ローラー４４に挟持され、搬送路４５ａに沿って下流側に搬送され、正面蓋部１０が開いた状態で筐体６の外側に排出される。
【００５５】
次に、原稿Ｇ１，Ｇ２がセンサーユニット５１と対向する位置に搬送されて画像が読み取られるときの様子について説明する。用紙カセット１１から原稿Ｇ１が搬送されてセンサーユニット５１によって画像が読み取られるとき、押圧部材５３および付勢部材５４は、二点鎖線に示す下側の位置にあって、押圧部材５３は透明部材５２を押圧する位置にある。
【００５６】
用紙カセット１１に積層された状態の原稿Ｇ１の最上部に、回転駆動する給送ローラー２２が当接し、原稿Ｇ１は、分離斜面２３に沿って上方に給送される。そして、原稿Ｇ１は、中間搬送駆動ローラー３１と従動ローラー３２，３３によって挟持されて下流側に搬送され、実線矢印Ｆに示すように、搬送路３５ａ、搬送経路が交差する部分Ｓを通り、搬送路３６ａに沿って下流側に搬送される。
【００５７】
原稿Ｇ１の先端部は、押圧部材５３の上流側に形成された案内面５３ａに案内されて、押圧部材５３の平面部５３ｃと透明部材５２の平面部５２ａとの間を通り、下流側に搬送される。
【００５８】
制御部１８は、センサーユニット５１によって原稿Ｇ１の画像を読み取り、画像データとして取得する。そして、原稿Ｇ１は、搬送駆動ローラー４０と従動ローラー４１によって下流側に搬送され、排出駆動ローラー４３と従動ローラー４４によって搬送路４５ａに沿って搬送され、筐体６の外側に排出される。
【００５９】
載置部１２に載置され、先端部が開口部１４に挿入された原稿Ｇ２は、中間搬送駆動ローラー３１と従動ローラー３３とに挟持され、実線矢印Ｆに示すように、搬送路３５ａ、搬送経路が交差する部分Ｓを通り、搬送路３６ａに沿って下流側に搬送される。このとき、押圧部材５３および付勢部材５４は、二点鎖線に示す下側の位置にあって、押圧部材５３は透明部材５２を押圧する位置にある。原稿Ｇ２は、押圧部材５３と透明部材５２の間を通り搬送される。
【００６０】
制御部１８は、センサーユニット５１により原稿Ｇ２の画像を読み取り、画像データとして取得する。そして、原稿Ｇ２は、搬送駆動ローラー４０と従動ローラー４１によって下流側に搬送され、排出駆動ローラー４３と従動ローラー４４によって搬送路４５ａに沿って搬送され、筐体６の外側に排出される。
【００６１】
次に、載置部１２に載置された原稿Ｇ２の両面に形成された画像を読み取り、用紙カセット１１に載置された用紙Ｐ１の両面に画像を記録するときの様子について説明する。載置部１２に載置され、先端部が開口部１４に挿入された原稿Ｇ２は、方向Ｄ１に回転駆動する中間搬送駆動ローラー３１と従動ローラー３３とに挟持され、実線矢印Ｆに示すように、搬送路３５ａ，３６ａに沿って下流側に搬送される。
【００６２】
このとき、押圧部材５３は下側の位置にあって、センサーユニット５１の透明部材５２を押圧する位置にある。原稿Ｇ２は、押圧部材５３と透明部材５２の間を通り、下流側に搬送され、制御部１８は、センサーユニット５１によって、原稿Ｇ２の一方の面の画像を読み取り、一方の面の画像データとして取得する。
【００６３】
制御部１８は、原稿Ｇ２の一方の面の画像を読み取ると、搬送駆動ローラー４０、排出駆動ローラー４３を逆回転させて、原稿Ｇ２を搬送路３６ａに沿って上流側に搬送する。上流側に戻された原稿Ｇ２は、搬送経路が交差する部分Ｓを通り、破線矢印Ｊ１に示すように、搬送路３６ａにおける傾斜壁部３５の直下を通り、方向Ｄ１に回転駆動する中間搬送駆動ローラー３１と従動ローラー３４とに挟持され、破線矢印Ｊ２に示すように、案内面２６と中間搬送駆動ローラー３１との間を通り搬送される。
【００６４】
原稿Ｇ２は、再び中間搬送駆動ローラー３１と従動ローラー３２，３３とに挟持され、実線矢印Ｆに示すように、搬送路３５ａ，３６ａに沿って下流側に搬送される。この時点において、原稿Ｇ２は反転されて、原稿Ｇ２の他方の面が上方を向いた姿勢にある。
【００６５】
原稿Ｇ２は、センサーユニット５１と押圧部材５３との間を通り、下流側に搬送される。このとき、センサーユニット５１によって、原稿Ｇ２の他方の面の画像を読み取り、他方の面の画像データとして取得する。このようにして、制御部１８は、原稿Ｇ２の両面に形成された画像を読み取り、両面の画像データを取得することができる。
【００６６】
制御部１８は、用紙Ｐ１を用紙カセット１１から給送ローラー２２、中間搬送駆動ローラー３１、従動ローラー３２，３３を用いて、記録ヘッド３が対向する位置まで搬送し、用紙Ｐ１の一方の面に、原稿Ｇ２の一方の面から読み取った画像データに基づいて、記録ヘッド３からインクを噴射させて画像を記録する。このとき、押圧部材５３は、上側の位置のセンサーユニット５１とは離れた位置にあり、押圧部材５３とセンサーユニット５１の間を通るとき、用紙Ｐ１が押圧部材５３に当接することがない。
【００６７】
制御部１８は、搬送駆動ローラー４０、排出駆動ローラー４３を逆回転させることによって、一方の面に画像が記録された用紙Ｐ１を搬送路３６ａに沿って上流側に搬送する。上流側に戻された用紙Ｐ１は、搬送経路が交差する部分Ｓを通り、破線矢印Ｊ１に示すように、搬送路３６ａにおける傾斜壁部３５の直下を通り、方向Ｄ１に回転駆動する中間搬送駆動ローラー３１と従動ローラー３４とに挟持され、破線矢印Ｊ２に示すように、案内面２６と中間搬送駆動ローラー３１との間を通り搬送される。
【００６８】
用紙Ｐ１は、さらに中間搬送駆動ローラー３１と従動ローラー３２，３３とに挟持され、実線矢印Ｆに示すように、搬送路３５ａ，３６ａに沿って下流側に搬送される。この時点において、用紙Ｐ１は反転されて、用紙Ｐ１の他方の面が上方を向いた姿勢にある。
【００６９】
制御部１８は、記録ヘッド３が対向する位置を搬送する用紙Ｐ１の他方の面に、原稿Ｇ２の他方の面から読み取った画像データに基づいて、記録ヘッド３からインクを噴射させて画像を記録する。このようにして、制御部１８は、用紙Ｐ１の両面に画像を記録することができる。
【００７０】
上述したように、複合機１には、原稿Ｇ１，Ｇ２、用紙Ｐ１，Ｐ２を反転搬送させる反転経路が構成される。反転経路は、搬送路３５ａ，３６ａに沿って形成された搬送経路、搬送路３５ａと搬送路３６ａの搬送経路が交差する部分Ｓ、中間搬送駆動ローラー３１の外周側に形成された搬送経路を含んで構成される。中間搬送駆動ローラー３１の外周側に形成された搬送経路は、中間搬送駆動ローラー３１と従動ローラー３２，３３，３４とに挟持され、案内面２４，２５，２６によって案内されて搬送される経路である。
【００７１】
本実施形態における画像読取部５０は、センサーユニット５１、押圧部材５３、付勢部材５４、制御部１８を含んで構成される。
【００７２】
以上、本実施形態で説明した複合機１は、搬送される被読取媒体としての原稿Ｇ１，Ｇ２を読み取るセンサーユニット５１を有する画像読取部５０と、画像読取部５０によって読み取られた画像データに基づいて、被記録媒体としての用紙Ｐ１，Ｐ２に画像を記録する記録部５と、媒体載置部としての、用紙カセット１１、載置部１２と、を備える。
【００７３】
そして、原稿Ｇ１，Ｇ２または用紙Ｐ１，Ｐ２を反転搬送させる反転ユニット３０の反転経路を含み、原稿Ｇ１，Ｇ２または用紙Ｐ１，Ｐ２が載置部１２、用紙カセット１１から排出側に案内されて搬送される搬送経路を備える。
【００７４】
そして、センサーユニット５１によって原稿Ｇ１，Ｇ２が読み取られる読取位置は、搬送経路における搬送路３６ａと搬送駆動ローラー４０との間に配置される。
【００７５】
この構成により、読み取り機能を有する給送装置を本体装置とは別体に備える必要がないので、複合機１が大型化することなく、原稿Ｇ１，Ｇ２の両面を読み取り、読み取った画像データに基づいて用紙Ｐ１，Ｐ２の両面に記録を行うことが可能となる。また、センサーユニット５１は、搬送経路である搬送路３６ａと搬送駆動ローラー４０との間に配置され、本体装置に対して着脱する必要がない。そのため、電源ケーブルや信号ケーブルが断線することや、コネクターの接続端子が摩耗して電気的な不具合が生じることがない。
【００７６】
また、センサーユニット５１は、搬送経路において記録部５を構成する記録ヘッド３より上流側に配置される。
【００７７】
これにより、用紙Ｐ１，Ｐ２が搬送される搬送経路と、原稿Ｇ１，Ｇ２が搬送される搬送経路とが共有されるので、複合機１が大型化することを抑制できる。
【００７８】
また、原稿Ｇ１，Ｇ２または用紙Ｐ１，Ｐ２を搬送する第１の搬送ローラーとしての中間搬送駆動ローラー３１と、中間搬送駆動ローラー３１の搬送方向における下流側に設けられる第２の搬送ローラーとしての搬送駆動ローラー４０と、を備え、センサーユニット５１の読取位置は、搬送駆動ローラー４０の上流側近傍に配置される。
【００７９】
原稿Ｇ１，Ｇ２の搬送方向における後端側が中間搬送駆動ローラー３１に当接された状態で搬送され、原稿Ｇ１，Ｇ２の搬送方向における先端が搬送駆動ローラー４０に上流側から近づいて当接するとき、原稿Ｇ１，Ｇ２の搬送速度が変動することがある。本実施形態では、センサーユニット５１の読取位置は、搬送駆動ローラー４０の上流側近傍に配置される。そのため、原稿Ｇ１，Ｇ２の速度変動によって画像データが品質低下する部分は、原稿Ｇ１，Ｇ２の先端部を読み取った画像データにおいて生じる。
【００８０】
これに対して、原稿Ｇ１，Ｇ２の中央部がセンサーユニット５１の読取位置を通るときは、原稿Ｇ１，Ｇ２の搬送速度の変動が小さい。これにより、原稿Ｇ１，Ｇ２の中央部においては、センサーユニット５１によって読み取られる画像データの品質が低下することを抑制できる。
【００８１】
また、媒体載置部は、原稿と用紙のうちの一方を載置する第１の媒体載置部としての載置部１２と、原稿と用紙のうちの他方を載置する第２の媒体載置部としての用紙カセット１１とを含み、画像読取部５０は、反転経路を用いて、載置部１２から搬送された原稿Ｇ２の両面の画像を読み取り、記録部５は、反転経路を用いて、用紙カセット１１から搬送された用紙Ｐ１の両面に記録する。
【００８２】
本実施形態では、第１の媒体載置部としての載置部１２に載置された原稿Ｇ２の両面の画像をセンサーユニット５１によって読み取り、第２の媒体載置部としての用紙カセット１１に載置された用紙Ｐ１の両面にインクを噴射させて画像を記録する方法について説明したが、反対に、第２の媒体載置部としての用紙カセット１１に載置された原稿Ｇ１の両面の画像を読み取り、第１の媒体載置部としての載置部１２に載置された用紙Ｐ２の両面にインクを噴射させて画像を記録してもよい。
【００８３】
このような構成により、原稿Ｇ２（Ｇ１）の両面の画像を読み取り、用紙Ｐ１（Ｐ２）の両面に画像を記録することができる。そのため、使用者による原稿Ｇ２（Ｇ１）や用紙Ｐ１（Ｐ２）を反転させる作業を必要としない。
【００８４】
第２の媒体載置部としての用紙カセット１１は、筐体６の内部に収容される。そのため、用紙カセット１１に載置される用紙Ｐ１、原稿Ｇ１の主走査方向Ｘの長さや、副走査方向Ｙの長さは制限される。これに対して、第１の媒体載置部としての載置部１２に載置される用紙Ｐ２、原稿Ｇ２は、筐体６から上方に突出した状態で載置される。そのため、用紙Ｐ２、原稿Ｇ２の副走査方向Ｙの長さは制限されない。
【００８５】
例えば、用紙カセット１１に載置される用紙Ｐ１、原稿Ｇ１の最大のサイズはＡ４サイズとし、載置部１２に載置される用紙Ｐ２、原稿Ｇ２の最大のサイズはＡ３サイズとすることができる。すなわち、載置部１２に載置された、原稿Ｇ２、用紙Ｐ２（Ａ３サイズ）の搬送方向の長さは、用紙カセット１１に載置された、原稿Ｇ１、用紙Ｐ１（Ａ４サイズ）の搬送方向の長さより長い。これにより、載置部１２に載置可能な原稿Ｇ２および用紙Ｐ２のサイズの種類を増やすことができる。
【００８６】
（実施形態２）
実施形態１では、センサーユニット５１が搬送駆動ローラー４０の上流側近傍に備えた複合機１について説明したが、実施形態２では、センサーユニット５１を中間搬送駆動ローラー３１の下流側近傍に備えた複合機について説明する。図３は、実施形態２における複合機１ａの概略構成を説明するための主走査方向Ｘから見た側断面図である。
【００８７】
複合機１ａの用紙カセット１１の上方における背面側には、反転ユニット３０ａが設けられる。反転ユニット３０ａは、中間搬送駆動ローラー３１、従動ローラー３２，３３，３４、案内面２４，２５，２６、中間搬送駆動ローラー３１の下流側に配置されて副走査方向Ｙに対して傾斜する搬送路６２ａ，６３ａが形成された傾斜壁部６２，６３を含んで構成される。
【００８８】
本実施形態のセンサーユニット５１は、搬送路６２ａと搬送路６３ａの間に配置される。透明部材５２の平面部５２ａは、搬送路６２ａ，６３ａの略延長線上の位置にあり、透明部材５２の上流側、下流側は傾斜壁部６２，６３とそれぞれ当接する。これにより、用紙Ｐ１，Ｐ２、原稿Ｇ１，Ｇ２の先端部が、平面部５２ａ、搬送路６２ａ，６３ａの角部に衝突することなく、搬送できる。
【００８９】
センサーユニット５１と対向する位置に、方向Ｄ３に移動可能な押圧部材６０と、押圧部材６０と追従して移動可能な付勢部材６１が備えられる。原稿Ｇ１，Ｇ２が搬送路６２ａ，６３ａを通るとき、押圧部材６０は、センサーユニット５１を押圧する位置にあり、押圧部材６０は、付勢部材６１による付勢力により透明部材５２を押圧する。
【００９０】
用紙Ｐ１，Ｐ２が搬送路６２ａ，６３ａを通り、記録部５によって記録されるとき、押圧部材６０は、センサーユニット５１から離れた位置に退避する。これにより、搬送路６２ａを下流側に搬送される用紙Ｐ１，Ｐ２が押圧部材６０に当接することがない。
【００９１】
押圧部材６０の上流側には上側に突出して湾曲する案内面６０ａが形成される。これにより、上流側から侵入する原稿Ｇ１，Ｇ２が案内面６０ａに案内されて、透明部材５２の平面部５２ａと押圧部材６０の平面部６０ｂとの間を通ることができる。
【００９２】
制御部１８は、センサーユニット５１と押圧部材６０との間を通る原稿Ｇ１，Ｇ２の画像をセンサーユニット５１によって読み取り、画像データとして取得する。本実施形態の画像読取部５０ａは、センサーユニット５１、押圧部材６０、付勢部材６１、制御部１８を含んで構成される。
【００９３】
用紙カセット１１に載置された原稿Ｇ１または載置部１２に載置された原稿Ｇ２が中間搬送駆動ローラー３１によってセンサーユニット５１が対向する位置に搬送される。原稿Ｇ１，Ｇ２は、センサーユニット５１によって一方の面の画像が画像データとして読み取られ、実線矢印Ｆに示すように、傾斜壁部６３の搬送路６３ａ、水平壁部３７の搬送路３７ａに沿って下流側に搬送される。
【００９４】
一方の面の画像が読み取られた原稿Ｇ１，Ｇ２は、搬送駆動ローラー４０、排出駆動ローラー４３の逆回転により、搬送路３７ａに沿って上流側に戻される。上流側に戻された原稿Ｇ１，Ｇ２は、搬送経路が交差する部分Ｓを通り、破線矢印Ｊ１，Ｊ２に示すように、搬送路３７ａにおける傾斜壁部６２，６３の直下を通り、案内面２６と中間搬送駆動ローラー３１との間を通り、再び中間搬送駆動ローラー３１によってセンサーユニット５１が対向する位置に搬送される。この時点では、原稿Ｇ１，Ｇ２は反転されており、センサーユニット５１により他方の面の画像が画像データとして読み取られる。両面が読み取られた原稿Ｇ１，Ｇ２は、下流側に搬送されて排出される。
【００９５】
用紙カセット１１に載置された用紙Ｐ１または載置部１２に載置された用紙Ｐ２が、中間搬送駆動ローラー３１によって、実線矢印Ｆに示すように、搬送路６２ａ，６３ａ，３７ａに沿って搬送され、記録ヘッド３が対向する位置に搬送される。用紙Ｐ１，Ｐ２は、搬送駆動ローラー４０、排出駆動ローラー４３によって搬送されながら記録ヘッド３によって一方の面に画像が記録される。
【００９６】
一方の面に画像が記録された用紙Ｐ１，Ｐ２は、搬送駆動ローラー４０、排出駆動ローラー４３の逆回転により、破線矢印Ｊ１，Ｊ２に示すように、搬送路３７ａにおける傾斜壁部６２，６３の直下、案内面２６と中間搬送駆動ローラー３１との間を通り、再び中間搬送駆動ローラー３１、搬送駆動ローラー４０によって記録ヘッド３が対向する位置に搬送される。この時点では、用紙Ｐ１，Ｐ２は反転されており、記録ヘッド３により他方の面に画像が記録される。両面に画像が記録された用紙Ｐ１，Ｐ２は、下流側に搬送されて排出される。
【００９７】
以上、説明した本実施形態の複合機１ａは、原稿Ｇ１，Ｇ２または用紙Ｐ１，Ｐ２を搬送する第１の搬送ローラーとしての中間搬送駆動ローラー３１と、中間搬送駆動ローラー３１の搬送方向における下流側に設けられる第２の搬送ローラーとしての搬送駆動ローラー４０と、を備え、センサーユニット５１の読取位置は、中間搬送駆動ローラー３１の下流側近傍に配置される。
【００９８】
原稿Ｇ１，Ｇ２の搬送方向における先端側が搬送駆動ローラー４０に当接された状態で搬送され、原稿Ｇ１，Ｇ２の搬送方向における後端が中間搬送駆動ローラー３１から離れるときは、原稿Ｇ１，Ｇ２の搬送速度が変動することがある。本実施形態では、センサーユニット５１の読取位置は、中間搬送駆動ローラー３１の近傍の下流側に配置される。そのため、原稿Ｇ１，Ｇ２の速度変動によって画像データが品質低下する部分は、原稿Ｇ１，Ｇ２の後端部を読み取った画像データにおいて生じる。
【００９９】
これに対して、原稿Ｇ１，Ｇ２の中央部がセンサーユニット５１の読取位置を通るときは、原稿Ｇ１，Ｇ２の搬送速度の変動が小さい。これにより、原稿Ｇ１，Ｇ２の中央部においては、センサーユニット５１によって読み取られる画像データの品質が低下することを抑制できる。
【０１００】
また、センサーユニット５１は、搬送路６２ａ，６３ａによって形成される搬送経路に配置される。これにより、複合機１ａが大型化することを抑制できる。複合機１ａのその他の構成は、実施形態１で説明した複合機１の構成と同じである。
【０１０１】
（実施形態３）
実施形態３では、一対のセンサーユニットを備えた複合機について説明する。図４は、実施形態３における複合機１ｂの概略構成を説明するための主走査方向Ｘから見た側断面図である。
【０１０２】
水平壁部３８と搬送駆動ローラー４０との間には、一対のセンサーユニット７１，７２が鉛直方向Ｚに対向して備えられる。センサーユニット７１，７２には、ガラスなどの板状の透明部材７３，７４がそれぞれ設けられる。
【０１０３】
センサーユニット７１，７２のうちの少なくとも一方には、付勢部材（不図示）が備えられ、付勢部材の付勢力により透明部材７３，７４は互いに押圧した状態で当接する。
【０１０４】
透明部材７３，７４の上流側には、下方、上方に突出して湾曲する案内部材７５，７６が備えられる。これにより、上流側から侵入する原稿Ｇ１，Ｇ２が案内部材７５，７６によって案内されて透明部材７３と透明部材７４との間を通ることができる。
【０１０５】
一対のセンサーユニット７１，７２と搬送路３８ａが形成された水平壁部３８との間には、第２の搬送駆動ローラー７７と、第２の搬送駆動ローラー７７に対して従動する従動ローラー７８が備えられる。第２の搬送駆動ローラー７７と従動ローラー７８とのニップ位置、搬送駆動ローラー４０と従動ローラー４１とのニップ位置は、搬送路３８ａの略延長線上にある。
【０１０６】
搬送路３８ａの上部における主走査方向Ｘの両側には、軸部８１を支点として、方向Ｄ４に回動可能な一対のレバー８２が備えられる。センサーユニット７２の主走査方向Ｘの両端部は、一対のレバー８２の一方の端部にそれぞれ支持される。
【０１０７】
一対のレバー８２の下方には、軸部８３を支点として方向Ｄ５に回動可能な一対のカム８４が備えられ、それぞれ実線および二点鎖線で示すように、一対のレバー８２は、カム８４によって、回動位置が設定される。
【０１０８】
一対のレバー８２が二点鎖線で示す上側の位置にあるとき、センサーユニット７２は、二点鎖線で示す上側の位置にあって、搬送駆動ローラー４０と従動ローラー４１とのニップ位置と、第２の搬送駆動ローラー７７と従動ローラー７８とのニップ位置とを結ぶ搬送経路より上側の位置にある。すなわち、センサーユニット７２が上側の位置にあるとき、センサーユニット７２は、搬送経路から退避した位置にある。
【０１０９】
一対のレバー８２が実線で示す下側の位置にあるとき、センサーユニット７２は、実線で示す下側の位置にあって、透明部材７３，７４の当接面の位置は、搬送経路の位置にある。
【０１１０】
用紙カセット１１に載置された原稿Ｇ１または載置部１２に載置された原稿Ｇ２が中間搬送駆動ローラー３１によって、実線矢印Ｆに示すように、搬送路３５ａ，３８ａに沿って下流側に搬送される。
【０１１１】
第２の搬送駆動ローラー７７と従動ローラー７８、搬送駆動ローラー４０と従動ローラー４１によって搬送される原稿Ｇ１，Ｇ２は、透明部材７３と透明部材７４の間を通る。原稿Ｇ１，Ｇ２は、一対のセンサーユニット７１，７２によって両面の画像が画像データとして読み取られ、下流側に搬送される。
【０１１２】
用紙カセット１１に載置された用紙Ｐ１または載置部１２に載置された用紙Ｐ２は、実施形態１で説明したように、反転ユニット３０を用いて反転され、一対のセンサーユニット７１，７２によって読み取られた原稿Ｇ１，Ｇ２の両面の画像データに基づいて、用紙Ｐ１，Ｐ２の両面に記録部５によって画像が記録される。
【０１１３】
複合機１ｂは、一対のレバー８２、一対のカム８４を含んで構成されるユニット可動機構部８０を備え、ユニット可動機構部８０によってセンサーユニット７２を移動させることができる。ユニット可動機構部８０は、原稿Ｇ１，Ｇ２が搬送経路を搬送されるときは、センサーユニット７２を読取位置に配置し、用紙Ｐ１，Ｐ２が搬送経路を搬送されるときは、センサーユニット７２を読取位置から退避させる。
【０１１４】
センサーユニット７１は、筐体６に対して固定されており、センサーユニット７１の透明部材７３は、搬送される用紙Ｐ１，Ｐ２を下方から支持する搬送路となる。
【０１１５】
この構成により、用紙Ｐ１，Ｐ２が搬送経路を搬送されるとき、用紙Ｐ１，Ｐ２がセンサーユニット７２に接触することがないので、用紙Ｐ１，Ｐ２の搬送速度が低下したり、用紙Ｐ１，Ｐ２が搬送経路で停止したり、姿勢が搬送方向に対して傾斜することを抑制できる。
【０１１６】
本実施形態における画像読取部７０は、センサーユニット７１，７２、制御部１８を含んで構成される。
【０１１７】
以上、説明した本実施形態の複合機１ｂは、搬送方向（副走査方向Ｙ）と交わる方向に対向する一対のセンサーユニット７１，７２が備えられ、画像読取部７０は、一対のセンサーユニット７１，７２によって原稿Ｇ１，Ｇ２の両面を読み取る。
【０１１８】
この構成により、一対のセンサーユニット７１，７２の間を原稿Ｇ１，Ｇ２が１回通ることにより、原稿Ｇ１，Ｇ２の両面の画像を画像データとして読み取ることができる。従って、実施形態１，２で説明したセンサーユニット５１によって原稿Ｇ１，Ｇ２の一方の面を読み取った後、反転ユニット３０，３０ａを用いて原稿Ｇ１，Ｇ２を反転させ、再びセンサーユニットによって原稿Ｇ１，Ｇ２の他方の面を読み取る場合と比較すると、原稿Ｇ１，Ｇ２の両面を読み取る時間を短くすることができる。複合機１ｂのその他の構成は、実施形態１で説明した複合機１の構成と同じである。
【０１１９】
また、ユニット可動機構部８０は、センサーユニット７２を支持して回動可能な一対のレバー８２と、一対のレバー８２の回動位置を設定する一対のカム８４と、を含んで構成される。
【０１２０】
この構成により、センサーユニット７２を読取位置から退避させることができる。これにより、搬送される用紙Ｐ１，Ｐ２がセンサーユニットに当接しない。
【０１２１】
ユニット可動機構部は、ラックギアとピニオンギアとを含んで構成し、センサーユニット７２を移動させるようにしてもよい。
【０１２２】
（実施形態４）
実施形態１〜実施形態３では、搬送経路が交差する部分Ｓが記録部５の上流側に設けられたが、本実施形態では、搬送経路が交差する部分が記録部の下流側に設けられた複合機について説明する。
【０１２３】
図５は、主走査方向から見た図で、用紙の搬送経路が交差する部分Ｃ（破線の円内）を、記録部１２３の下流側に設けた複合機１００の概略構成を示す図である。複合機１００には、内側壁部１０２と外側壁部１０１との間に湾曲経路１２２が構成される。また、主走査方向に往復移動するキャリッジ１１２に備えられた記録ヘッド１１３を含んで構成される記録部１２３の下流側に、用紙の搬送経路が交差する部分Ｃが設けられる。用紙の搬送経路が交差する部分Ｃには、軸１２１を支点として揺動する揺動部材１２０が設けられる。
【０１２４】
記録ヘッド１１３の上流側には、ローラー１０３，１０４のうちの一方を駆動ローラーとし他方を従動ローラーとするローラー対１０５が備えられる。記録ヘッド１１３の下流側には、ローラー１０６，１０７のうちの一方を駆動ローラーとし他方を従動ローラーとするローラー対１０８、ローラー１０９，１１０のうちの一方を駆動ローラーとし他方を従動ローラーとするローラー対１１１が備えられる。
【０１２５】
用紙の搬送経路が交差する部分Ｃの下流側には、上側に搬送面１１５ａ，１１９ａが設けられて副走査方向Ｙに延びる壁部１１５，１１９が設けられる。壁部１１５と壁部１１９の間には、センサーユニット１１７と押圧部材１１８とが備えられる。
【０１２６】
押圧部材１１８は、付勢部材（不図示）の付勢力によってセンサーユニット１１７を押圧する。押圧部材１１８の上流側、下流側には、上方に突出して湾曲する案内面１１８ａ，１１８ｂがそれぞれ形成される。搬送面１１５ａに沿って上流側からセンサーユニット１１７に向かって搬送される原稿の端部は、案内面１１８ａに案内されてセンサーユニット１１７と押圧部材１１８との間を通り搬送される。反対に、搬送面１１９ａに沿って下流側からセンサーユニット１１７に向かって搬送される原稿の端部は、案内面１１８ｂに案内されてセンサーユニット１１７と押圧部材１１８との間を通り搬送される。
【０１２７】
センサーユニット１１７と押圧部材１１８との間を通る原稿は、センサーユニット１１７によって画像が読み取られる。
【０１２８】
センサーユニット１１７と押圧部材１１８とは、矢印Ｄ６に示すように、上下方向に移動可能に備えられ、搬送面１１５ａ，１１９ａに沿って形成された搬送経路から離れた位置（二点鎖線に示す位置）に退避することができる。センサーユニット１１７と押圧部材１１８とが搬送経路から退避した状態で、用紙が搬送面１１５ａ，１１９ａに沿って搬送される。
【０１２９】
矢印Ａ１，Ａ２，Ａ３に示すように、原稿または用紙が、湾曲経路１２２を通り、ローラー対１０５，１０８によって、部材１１４の上側に形成された搬送面１１４ａに沿って下流側（図面右側）に搬送される。
【０１３０】
矢印Ａ３に示すように、原稿または用紙は、揺動部材１２０が実線に示した回動位置にあって搬送経路が開放された状態にあるので、ローラー対１１１によって、壁部１１５の搬送面１１５ａに沿って下流側に搬送される。
【０１３１】
そして、原稿または用紙は、ローラー対１１１の逆回転によって、上流側（図面左側）に戻される。このとき、揺動部材１２０が二点鎖線に示した位置に回動し、部材１１４側の搬送経路が閉じ、部材１１６側の搬送経路が開放されることにより、破線矢印Ｂ１，Ｂ２に示すように、原稿または用紙は、部材１１６の上側に形成された搬送面１１６ａに沿って搬送され、再び湾曲経路１２２を通り、反転される。
【０１３２】
以上、説明した本実施形態の複合機１００には、湾曲経路１２２、搬送経路が交差する部分Ｃを含む反転経路が構成される。複合機１００は、このような反転経路を用いて、原稿または用紙を反転搬送し、センサーユニット１１７が対向する位置で原稿の画像を読み取り、読み取った画像に基づいて記録ヘッド１１３が対向する位置で用紙に画像を記録する。
【０１３３】
センサーユニット１１７は、搬送経路において記録部１２３より搬送方向（副走査方向Ｙ）における下流側に配置される。
【０１３４】
この構成によれば、用紙が搬送される搬送経路と、原稿が搬送される搬送経路とが共有されるので、複合機１００が大型化することを抑制できる。
【０１３５】
（実施形態５）
実施形態５では、センサーユニットによって、用紙の傾斜角度を検出し、検出した傾斜角度に基づいて原稿から読み取った画像を補正する場合について説明する。図６は、本実施形態における処理の流れを説明するためのフローチャートである。本実施形態では、図２の載置部１２に載置された原稿Ｇ２の画像がセンサーユニット５１によって読み取られ、用紙カセット１１に載置された用紙Ｐ１に記録される場合について説明する。
【０１３６】
ステップＳ５００では、制御部１８は、搬送路３６ａに沿って搬送される原稿Ｇ２の一方の面または両面の画像をセンサーユニット５１によって読み取り、画像データとして取得する。
【０１３７】
図７（ａ）は、搬送路３６ａに沿って下流側に搬送される用紙Ｐ１の先端部を示す図である。ステップＳ５１０では、制御部１８は、センサーユニット５１を用いて先端部における辺部ａの画像を読み取り、辺部画像データとして取得する。
【０１３８】
ステップＳ５２０では、制御部１８は、ステップＳ５１０において読み取った辺部ａの辺部画像データに基づいて副走査方向Ｙに対する傾斜角度Ｒ１すなわち用紙Ｐ１の傾斜角度Ｒ１を検出する。
【０１３９】
ステップＳ５３０では、制御部１８は、検出した傾斜角度Ｒ１に基づいて、ステップＳ５００において読み取った原稿Ｇ２の画像データを補正する処理を行う。具体的には、原稿Ｇ２の画像の中心部に対応する画素を中心として、原稿Ｇ２の画像データを構成する画素の位置を傾斜角度Ｒ１の分だけ回転移動させる補正処理を行う。
【０１４０】
ステップＳ５４０では、制御部１８は、補正処理された原稿Ｇ２の画像データに基づいて、図２の記録部５により、用紙Ｐ１の一方の面または両面に画像を記録する。図７（ｂ）は、搬送される用紙Ｐ１に記録された画像Ｍ１を示す図である。画像Ｍ１は、ステップＳ５４０において、補正処理された原稿Ｇ２の画像データに基づいて記録されたものである。画像Ｍ１の副走査方向Ｙに対する傾斜角度Ｒ３は、用紙Ｐ１の傾斜角度Ｒ１と略同じである。これにより、例えば、原稿Ｇ２の幅方向（主走査方向Ｘ）の辺に沿って並ぶ文字列ｍが画像Ｍ１に含まれている場合、用紙Ｐ１の辺ａと直交する辺ｂの方向に沿って文字列ｍを記録することができる。
【０１４１】
図７（ｃ）は、比較のため画像データの補正処理を行わずに用紙Ｐ１に記録された画像Ｍ２を示す図である。補正処理を行わない画像データに基づいて記録すると、画像Ｍ２に含まれる文字列ｍは、辺ｂに対して傾斜した方向に並んで形成されてしまう。
【０１４２】
以上、説明した本実施形態の図２の画像読取部５０は、記録部５の近傍で用紙Ｐ１の先端部の辺部ａを辺部画像データとして読み取り、読み取った辺部画像データに基づいて、図７（ａ）の用紙Ｐ１の傾斜角度Ｒ１を検出し、検出した傾斜角度Ｒ１に基づいて、センサーユニット５１を用いて読み取った画像データを補正する。これにより、記録される画像の用紙Ｐ１に対する傾斜角度を小さくできる。
【０１４３】
本実施形態では、図７（ａ）の辺部ａの画像を取得して傾斜角度Ｒ１を検出したが、辺部ｂの画像を取得して傾斜角度Ｒ２を検出する方法でもよい。また、本実施形態の方法は、図２の用紙カセット１１に載置された原稿Ｇ１の画像がセンサーユニット５１によって読み取られ、載置部１２に載置された用紙Ｐ２に記録される場合にも適用する。本実施形態における複合機のその他の構成は、実施形態１で説明した複合機１の構成と同じである。
【０１４４】
実施形態１〜実施形態５では、図２のセンサーユニット５１によって原稿Ｇ１，Ｇ２の画像を読み取るとき、付勢部材５４によって押圧する押圧部材５３をセンサーユニット５１の透明部材５２に当接したが、押圧部材５３の代わりにセンサーユニット５１と隙間を設けて対向する対向部材を備え、原稿Ｇ１，Ｇ２がその隙間を通るようにしてもよい。
【０１４５】
ユニット可動機構部を用いて、センサーユニット５１と原稿Ｇ１，Ｇ２との距離を調整してもよい。これにより、原稿Ｇ１，Ｇ２の厚さに応じて、センサーユニット５１の焦点距離を調整することができるので、読み取られる画像データの品質低下を抑制できる。
【０１４６】
以上説明した構成や方法は、インクを噴射するノズルが被記録媒体の搬送方向と交わる方向に並び、筐体６に対する位置が固定された記録ヘッドを有する記録部を備えた複合機にも適用する。
【符号の説明】
【０１４７】
１，１ａ，１ｂ，１００…複合機、５，１２３…記録部、１１…用紙カセット、１２…載置部、１８…制御部、２４，２５，２６…案内面、３０，３０ａ…反転ユニット、３１…中間搬送駆動ローラー、３５ａ，３６ａ，３７ａ，３８ａ，４５ａ，６２ａ，６３ａ…搬送路、４０…搬送駆動ローラー、５０，５０ａ，７０…画像読取部、５１，７１，７２，１１７…センサーユニット、８０…ユニット可動機構部、１２２…湾曲経路、Ｇ１，Ｇ２…原稿、Ｐ１，Ｐ２…用紙、Ｒ１…傾斜角度、Ｙ…副走査方向。
【図１】
2015211415.tif 000003
【図２】
2015211415.tif 000004
【図３】
2015211415.tif 000005
【図４】
2015211415.tif 000006
【図５】
2015211415.tif 000007
【図６】
2015211415.tif 000008
【図７】
2015211415.tif 000009